(57)【要約】【課題】被検眼の中間透光体に生じる混濁の程度を求めることができる眼科装置および解析プログラムを提供すること。【解決手段】眼科装置１は、被検眼Ｅの眼底Ｅｒへ光を投光する投光光学系２と、投光光学系２からの光に伴う眼底Ｅｒからの光を受光素子２５で受光する受光光学系３と、を有している。また、眼科装置１の制御部２００は、眼底Ｅｒの各位置に対応する眼底Ｅｒからの光の強度を示す強度情報を受光素子２５の受光結果に基づいて取得し、取得された強度情報に基づいて被検眼Ｅｒにおける中間透光体の混濁の程度を解析する。【選択図】図８
2015085176.tif 000002
【特許請求の範囲】
【請求項１】
被検眼の眼底の各位置へ光を投光する投光光学系と、
前記投光光学系からの光に伴い眼底の各位置から発せられる眼底からの光を受光素子で受光する受光光学系と、
眼底の各位置に対応する前記眼底からの光の強度を示す強度情報を、前記受光素子の受光結果に基づいて取得する取得手段と、を備える眼科装置において、
前記取得手段によって取得される強度情報に基づいて被検眼における中間透光体の混濁の程度を解析する解析手段を備えていることを特徴とする眼科装置。
【請求項２】
前記投光光学系は、第１波長の第１光、および、前記第１波長よりも波長の短い第２波長の第２光、を被検眼の眼底に投光し、
前記取得手段は、前記第１光に伴う前記眼底からの光についての前記強度情報である第１強度情報と、前記第２光に伴う前記眼底からの光についての前記強度情報である第２強度情報と、を取得し、
前記解析手段は、前記第１強度情報によって示される前記第１光に伴う眼底からの光の強度と、前記第２強度情報によって示される前記第２光に伴う眼底からの光の強度と、の比率を用いて被検眼における中間透光体の混濁の程度を得ることを特徴とする請求項１記載の眼科装置。
【請求項３】
前記取得手段は、眼底の各位置に対応する前記眼底からの光の強度を示す前記強度情報を、前記受光素子で受光される前記眼底からの光のうち、前記受光光学系の中心領域の光に基づいて取得することを特徴とする請求項１又は２に記載の眼科装置。
【請求項４】
前記解析手段は、前記取得手段によって取得された前記強度情報と対応する中間透光体の透過率を、複数の被検眼についての中間透光体の透過率に関する情報が格納されたデータベースを用いて取得する透過率取得手段を備えていることを特徴とする請求項１から３の何れかに記載の眼科装置。
【請求項５】
前記データベースには、白内障手術前の水晶体に混濁のある状態と白内障手術後の状態とのそれぞれの状態で、被検眼の眼底へ投光された光に伴う眼底からの光を受光素子に受光させて得られた強度に基づき、白内障手術前の前記強度を示す値を、白内障手術後の前記強度を示す値によって除算した値が、前記被検眼の水晶体の透過率として格納されていることを特徴とする請求項４記載の眼科装置。
【請求項６】
被検眼の前方に、前記投光光学系からの光が照射されて参照光を発する参照部が配置され、
前記受光光学系は、前記参照部からの参照光を前記受光素子で受光し、
前記解析手段は、前記強度情報によって示される前記眼底からの光の強度を、前記受光素子で受光される前記参照部からの参照光の強度に基づいて正規化する正規化手段を備え、
前記解析手段は、前記正規化手段によって正規化された前記眼底からの光の強度に基づいて、被検眼における中間透光体の混濁の程度を解析することを特徴とする請求項１から５の何れかに記載の眼科装置。
【請求項７】
前記投光光学系は、被検眼の眼底に光を投光することによって、被検眼の眼底に存在する蛍光物質を励起して蛍光を発光させ、
前記受光素子で受光される前記眼底からの蛍光の強度を、前記解析手段によって解析された前記被検眼における中間透光体の混濁の程度に応じて補正する蛍光強度取得手段を備えていることを特徴とする請求項１から６の何れかに記載の眼科装置。
【請求項８】
被検眼の眼底の各位置へ投光される光に伴う眼底からの光の強度を示す強度情報を用いて被検眼の状態を解析する解析装置で実行される解析プログラムであって、
画像処理装置のプロセッサに実行されることによって、前記強度情報に基づいて被検眼における中間透光体の混濁の程度を解析する解析ステップ、を解析装置に実行させることを特徴とする解析プログラム。
【請求項９】
第１波長の第１光が被検眼の眼底の各位置へ投光されることによって眼底の各位置から発せられる光についての第１強度情報を、前記眼底からの光を受光する受光素子からの信号に基づいて取得する第１強度情報取得ステップと、
前記第１波長よりも波長の短い第２光が被検眼の眼底の各位置へ投光されることによって眼底の各位置から発せられる光についての第２強度情報を、前記受光素子からの信号に基づいて取得する第２強度情報取得ステップと、
前記第１強度情報取得ステップによって取得される第１強度情報が示す前記第１光に伴う前記眼底からの光の強度、および、前記第２強度情報取得ステップによって取得される前記第２強度情報が示す前記第２光に伴う眼底からの光の強度、の比率を用いて被検眼における中間透光体の混濁の程度を得る混濁度取得ステップと、を含むことを特徴とする中間透光体混濁度取得方法。
【請求項１０】
被検眼に光を投光することによって、被検眼の中間透光体又はそれよりも眼底側の部位からの戻り光を第１受光素子で受光する第１投受光ステップと、
被検眼の眼底に励起光を投光することによって、被検眼の眼底に存在する蛍光物質を励起して蛍光を発光させ、前記第１受光素子と同一又は別体の第２受光素子で受光する第２投受光ステップと、
前記第１投受光ステップにおいて戻り光を受光した前記第１受光素子から出力される信号に基づいて被検眼の中間透光体の混濁の程度を取得する混濁度取得ステップと、
前記第２投受光ステップにおいて蛍光を受光した前記第２受光素子から出力される信号に基づく被検眼眼底からの蛍光の強度を取得する蛍光強度取得ステップと、
前記蛍光強度取得ステップにて得られる蛍光の強度を、前記混濁度取得ステップによって得られる被検眼の中間透光体の混濁の程度を用いて補正する補正ステップと、を含むことを特徴とする蛍光強度取得方法。
【発明の詳細な説明】
【技術分野】
【０００１】
本発明は、被検眼を検査するための眼科装置、被検眼の状態を解析する解析プログラム、被検眼の中間透光体混濁度取得方法、および蛍光強度取得方法に関する。
【背景技術】
【０００２】
従来より、被検眼を検査するための眼科装置の一種として、被検眼の眼底の各位置に光を投光し、投光した光に伴って眼底の各位置から発せられる光を受光素子に受光させることで、眼底の各位置から発せられる光の強度に応じた情報を取得する眼科装置が知られている。例えば、眼底における自発蛍光物質（例えば、リポフスチン）の蓄積度合いを検査するために、被検眼の眼底に光を投光して眼底に蓄積された自発蛍光物質に自発蛍光（ｆｕｎｄｕｓ−ａｕｔｏ−ｆｌｕｏｒｅｓｃｅｎｃｅ：ＦＡＦ）を生じさせ、自発蛍光の強度を測定する装置がある（特許文献１）。
【先行技術文献】
【特許文献】
【０００３】
【特許文献１】特開２００６−２４７０７６号公報
【発明の概要】
【発明が解決しようとする課題】
【０００４】
ところで、被検眼の中間透光体に白内障等の混濁があると、眼科装置によって取得される情報が、中間透光体の混濁の影響を受けてしまう場合がある。眼科装置から眼底に投光される光、および、眼科装置から投光された光に伴って眼底の各位置から発せられる光が、中間透光体の混濁によって遮られたり、散乱されたりしてしまうからである。しかも、中間透光体における混濁の程度が強いほど、混濁によって散乱等される光の割合が多くなる。このため、被検眼の中間透光体における混濁の程度を求めたい場合がある。
【０００５】
本発明は、上記事情を鑑みてなされたものであり、被検眼の中間透光体に生じる混濁の程度を求めることができる眼科装置および解析プログラムを提供することを目的としている。
【課題を解決するための手段】
【０００６】
本発明の第一態様に係る眼科装置は、被検眼の眼底の各位置へ光を投光する投光光学系と、前記投光光学系からの光に伴い眼底の各位置から発せられる眼底からの光を受光素子で受光する受光光学系と、眼底の各位置に対応する前記眼底からの光の強度を示す強度情報を、前記受光素子の受光結果に基づいて取得する取得手段と、を備える眼科装置において、前記取得手段によって取得される強度情報に基づいて被検眼における中間透光体の混濁の程度を解析する解析手段を備えている。
【０００７】
本発明の第二態様に係る解析プログラムは、被検眼の眼底の各位置へ投光される光に伴う眼底からの光の強度を示す強度情報を用いて被検眼の状態を解析する解析装置で実行される解析プログラムであって、画像処理装置のプロセッサに実行されることで、前記強度情報に基づいて被検眼における中間透光体の混濁の程度を解析する解析ステップ、を解析装置に実行させる。
【０００８】
本発明の第三態様に係る中間透光体混濁度取得方法は、第１波長の第１光が被検眼の眼底の各位置へ投光されることによって眼底の各位置から発せられる光についての第１強度情報を、前記眼底からの光を受光する受光素子からの信号に基づいて取得する第１強度情報取得ステップと、前記第１波長よりも波長の短い第２光が被検眼の眼底の各位置へ投光されることによって眼底の各位置から発せられる光についての第２強度情報を、前記受光素子からの信号に基づいて取得する第２強度情報取得ステップと、前記第１強度情報取得ステップによって取得される第１強度情報が示す前記第１光に伴う前記眼底からの光の強度、および、前記第２強度情報取得ステップによって取得される前記第２強度情報が示す前記第２光に伴う眼底からの光の強度、の比率を用いて被検眼における中間透光体の混濁の程度を得る混濁度取得ステップと、を含む。
【０００９】
本発明の第四態様に係る蛍光強度取得方法は、被検眼に光を投光することによって、被検眼の中間透光体又はそれよりも眼底側の部位からの戻り光を第１受光素子で受光する第１投受光ステップと、被検眼の眼底に励起光を投光することによって、被検眼の眼底に存在する蛍光物質を励起して蛍光を発光させ、前記第１受光素子と同一又は別体の第２受光素子で受光する第２投受光ステップと、前記第１投受光ステップにおいて戻り光を受光した前記第１受光素子から出力される信号に基づいて被検眼の中間透光体の混濁の程度を取得する混濁度取得ステップと、前記第２投受光ステップにおいて蛍光を受光した前記第２受光素子から出力される信号に基づく被検眼眼底からの蛍光の強度を取得する蛍光強度取得ステップと、前記蛍光強度取得ステップにて得られる蛍光の強度を、前記混濁度取得ステップによって得られる被検眼の中間透光体の混濁の程度を用いて補正する補正ステップと、を含む。
【発明の効果】
【００１０】
本発明によれば、被検眼の中間透光体に生じる混濁の程度を求めることができる。
【図面の簡単な説明】
【００１１】
【図１】本実施形態の眼科装置が有する光学系を示した概略構成図である。
【図２】レーザー光出射部の詳細構成を示した図である。
【図３】回転板の詳細構成を示した図である。
【図４】回転板が有するフィルタのフィルタリング特性を示したグラフである。
【図５】眼科装置によって撮影される眼底画像を模式的に示した模式図である。
【図６】標準試料の詳細構成を示した図である。
【図７】眼科装置が有する制御系を示した概略構成図である。
【図８】ＣＰＵによって実行される蛍光画像・解析処理を示したフローチャートである。
【図９】本発明の変容例の光学系を示した概略構成図である。
【図１０】眼科装置で測定される中間透光体の混濁度および透過率を示すグラフである。
【図１１】眼底画像における撮影光学系の中心領域を示した模式図である。
【発明を実施するための形態】
【００１２】
以下、図面を参照しつつ、本発明の実施形態の一例として、眼科装置１について説明する。まず、図１を参照して、眼科装置１の光学系について説明する。眼科装置１は、被検眼Ｅを検査するための眼科機器である。本実施形態では、眼科装置１は、眼底反射光と、眼底Ｅｒに蓄積された物質の自発蛍光と、のそれぞれによって眼底Ｅｒを撮影可能な走査型レーザー検眼鏡（Ｓｃａｎｎｉｎｇ  Ｌａｓｅｒ  Ｏｐｔｈａｌｍｏｓｃｏｐｅ：ＳＬＯ）であるものとして説明する。
【００１３】
本実施形態において、眼科装置１は、投光光学系２と、撮影光学系３と、回転ユニット３０と、標準試料ユニット４０と、を有している。まず、投光光学系２について説明する。投光光学系２は、被検眼Ｅの眼底Ｅｒにおける撮影範囲の各位置へ光（照明光、及び、励起光）を投光する光学系である。本実施形態において、投光光学系２には、レーザー光出射部１１、穴開きミラー１２、レンズ１３、視度補正部１４、凹面ミラー１５、ポリゴンミラー１６、凹面ミラー１７、凹面ミラー１８、ガルバノミラー１９、ミラー２０、および、凹面ミラー２１、が含まれる。
【００１４】
レーザー光出射部１１は、少なくとも第１波長のレーザー光と第２波長のレーザー光とを出射可能である。図２に示すように、本実施形態において、レーザー光出射部１１は、第１レーザー光源１１ａ、第２レーザー光源１１ｂ、ミラー１００、および、ダイクロイックミラー１０１を有する。本実施形態では、第１レーザ光源１１ａは、波長７９０ｎｍ付近の赤外域のレーザー光（第１光）を出射する。また、第２レーザ光源１１ｂは、波長４９０ｎｍ付近の可視域のレーザー光（第２光）を出射する。第１レーザー光源１１ａを出射した赤外域のレーザー光は、ダイクロイックミラー１０１を透過し、レーザー光出射部１１を出て光軸Ｌ１上を進む。第２レーザー光源１１ｂを出射した可視域のレーザー光は、ミラー１００にて折り曲げられた後、ダイクロイックミラー１０１にて反射して光軸Ｌ１上を進む。なお、本実施形態では、２つのレーザー光源１１ａ、１１ｂを同時に点灯させることも、一方だけを点灯させることもできる。
【００１５】
レーザー光出射部１１から出射したレーザー光は、中央に開口部を有する穴開きミラー１２の開口部を通り、レンズ１３を介した後、視度補正部１４、凹面ミラー１５にて反射し、ポリゴンミラー１６に向かう。ポリゴンミラー１６に反射された光束は、凹面ミラー１７，１８、ガルバノミラー１９、ミラー２０、凹面ミラー２１で反射された後、被検眼Ｅの眼底Ｅｒで集光する。
【００１６】
視度補正部１４は、視度補正を行うための機構である。視度補正部１４は、２枚のミラー１４ａ，１４ｂと、図示しない駆動部とを有している。駆動部は、２枚のミラー１４ａ，１４ｂの位置関係を維持したまま、２枚のミラー１４ａ，１４ｂを矢印ｓ方向に移動させる。その結果、投光光学系２、および、後述する受光光学系３の光路長が変更される。これによって、眼科装置１の視度補正が行われる。
【００１７】
また、ポリゴンミラー１６を、図示しないモータによって回転させることによって、眼底Ｅｒにおけるレーザー光の照射位置（スキャン位置）が眼底Ｅｒの水平方向（即ち、Ｘ方向）に移動する。よって、レーザー光出射部１１からレーザー光が出射されている状態で、ポリゴンミラー１６を回動させることによって、眼底上でレーザー光が水平方向に走査される。
【００１８】
また、ガルバノミラー１９を図示しないモータによって回動させることで、眼底Ｅｒにおけるレーザー光の照射位置が、眼底上で垂直方向（即ち、Ｙ方向）に移動する。よって、レーザー光出射部１１からレーザー光が出射されている状態で、ガルバノミラー１９を回動させることによって、眼底上でレーザー光が垂直方向に走査される。このように、ポリゴンミラー１６およびガルバノミラー１９を駆動させることで、レーザー光によって眼底Ｅｒが２次元的に走査される。
【００１９】
レーザー光出射部１１から眼底Ｅｒに対してレーザー光が照射されることに伴って、眼底Ｅｒから光が発せられる。具体的には、レーザー光の一部は、眼底Ｅｒで反射される。その結果、眼底Ｅｒで反射された眼底反射光が瞳孔から出射される。また、レーザー光の一部は、眼底Ｅｒに存在する自発蛍光物質を励起させる。本実施形態では、第２波長のレーザー光の一部によって、眼底Ｅｒに蓄積されているリポフスチンが励起されると考えられる。このため、眼底Ｅｒの自発蛍光物質から発せられた蛍光も、瞳孔から出射する。なお、一般に、自発蛍光物質から発せられる蛍光は、眼底反射光に比べて微弱な光である。このため、眼底反射光によって被検眼Ｅを撮影する場合に、眼底Ｅｒで発生する自発蛍光は問題になり難いと考えられる。
【００２０】
次に、撮影光学系３について説明する。撮影光学系３は、投光光学系２からのレーザー光に伴う眼底Ｅｒからの光（即ち、通常撮影時には眼底反射光、蛍光撮影時においは眼底Ｅｒで発生した蛍光）を受光するための受光光学系である。本実施形態において、撮影光学系３は、投光光学系２の光路Ｌ１上において、穴開きミラー１２から凹面ミラー２１までに配置された各部材を、投光光学系２と共用している。また、本実施形態の撮影光学系３は、レンズ２２、ピンホール板２３、レンズ２４、および、受光素子２５、を含む。
【００２１】
被検眼Ｅの眼底にレーザー光が照射される場合、レーザー光に基づいて眼底Ｅｒで反射または出射された光は、前述した投光光学系２を逆に辿り、穴開きミラー１２で反射し、レンズ２２へ導かれる。なお、被検眼Ｅの瞳位置と穴開きミラー１２の開口部とは、光学的に共役な関係である。レンズ２２へ導かれた眼底Ｅｒからの光は、ピンホール板２３のピンホールにおいて焦点を結ぶ。焦点を結んだ眼底Ｅｒからの光は、レンズ２４を介して受光素子２５に受光される。なお、本実施形態では、受光素子２５として、可視域及び赤外域に感度を持つＡＰＤ（アバランシェフォトダイオード）を用いている。
【００２２】
回転板ユニット３０は、受光素子２５に受光させる光の波長を選択する。回転板ユニット３０は、回転板３１、パルスモータ３２、および、センサ３３、を含む。
【００２３】
回転板３１は、眼底Ｅｒで発生した蛍光を観察するためのバリアフィルタが設けられたディスクである。回転板３１の中心から離れた板面の一部に光軸Ｌ２が通過し、かつ、回
転板３１の板面が光軸Ｌ２に対して直交するように、回転板３１は置かれている。パルスモータ３２は、回転板３１の中心に固定される回転軸３２ａを介して、回転板３１を回転させる装置である。また、センサ３３は、回転板３１の位置を検出（回転角度検出）するための検出装置である。回転板３１の所定位置に設けられた遮蔽板３１ａが、センサ３３と重なるときに、回転板３１の基準位置が検出される。本実施形態では、基準位置を基準として、回転板３１の回転角度が調節される。
【００２４】
ここで、図３を参照して、回転板３１の構成を詳しく説明する。図３は、レンズ２２側から見た回転板３１を示している。Ｌ２は、撮影光学系３の撮影光軸であり、Ｌｚは、回転板３１における撮影光学系３の撮影領域を表す。
【００２５】
回転板３１には、フィルタ３１ｂが設けられている。フィルタ３１ｂは、可視蛍光撮影用のバリアフィルタである。フィルタ３１ｂは、図４に示す分光特性を有する。フィルタ３１ｂは、本実施形態では、第２波長のレーザー光（可視域のレーザー光）を眼底に照射して行う、ＦＡＦ（ｆｕｎｄｕｓ−ａｕｔｏ−ｆｌｕｏｒｅｓｃｅｎｃｅ：自発蛍光）撮影に用いる。なお、本実施形態における自発蛍光撮影は、網膜色素上皮のリポフスチンが第２レーザー光源１１ｂ（波長４９０ｎｍ付近）に自発蛍光（波長５００nm付近〜波長７５０ｎｍ付近）を示す原理を利用した蛍光撮影である。図４に示すように、本実施形態において、フィルタ３１ｂは、第２レーザー光源１１ｂから出射されるレーザー光を励起光として眼底Ｅｒで発生する蛍光を透過する。一方で、フィルタ３１ｂは、第１レーザー光源１１ａから出射される赤外域のレーザー光、第２レーザー光源１１ｂから出射される可視域のレーザー光、及び、第１レーザー光源１１ａから出射されるレーザー光を励起光として眼底に発生する蛍光を遮断する。なお、本実施形態では、リポフスチンの発光に基づ
て自発蛍光撮影を行う場合について説明するが、眼底Ｅｒに存在する他の自発蛍光物質および眼底に投与された蛍光造影剤等を発光させて撮影を行うこともできる。この場合は、発光させたい蛍光物質の蛍光特性に合わせて、光源とフィルタとを設ければよい。
【００２６】
図３に示すように、フィルタ３１ｂは、回転板３１が回転された場合における撮影領域Ｌｚの通過領域の軌跡上に配置されている。
【００２７】
また、図３に示すように、回転板３１における撮影領域Ｌｚの通過領域の軌跡上には、開口部３１ｃが設けられている。開口部３１ｃは、例えば、被検眼Ｅと装置との位置あわせ時、および、通常の眼底観察の際に光軸Ｌ２上に置かれる。このとき、開口部３１ｃは、眼底Ｅｒからの光を全て通し、受光素子２５に導く。なお、本実施形態において、開口部３１ｃの大きさは、撮影光学系３の撮影領域Ｌｚの大きさに略一致するように設計されている。
【００２８】
また、図１に示すように、標準試料ユニット４０が、投光光学系２および撮影光学系３の共通の光路上に設けられる。具体的には、標準試料ユニット４０は、凹面ミラー２１とミラー２０との間に設けられる。詳細は後述するが、本実施形態において、標準試料ユニット４０は、眼底Ｅｒと共に撮影されて、自発蛍光の蛍光強度および中間透光体の混濁程度等の各種情報を求めるときの基準を、眼科装置１に取得させるためのユニットである。
【００２９】
標準試料ユニット４０は、反射標準試料４１（第１参照部４１）と蛍光標準試料４２（第２参照部４２）とを含む。本実施形態では、反射標準試料４１と蛍光標準試料４２とのうち一方が、凹面ミラー２１とミラー２０との間で、レーザー光が被検眼Ｅの眼底Ｅｒを走査するときのレーザー光の通過領域内（すなわち、走査範囲内、撮影範囲内）に配置される。光束の通過領域内に配置された標準試料４１，４２は、レーザー光が照明されることによって、参照光（反射光または蛍光）を発する（反射または放射する）。標準試料４１，４２が発した参照光は、投光光学系２を逆に辿って、レンズ２２へ導かれる。そして、受光光学系３の受光素子２５に導かれる。このため、標準試料４１は、図５に示すように、眼底Ｅｒと共に撮影される。
【００３０】
なお、標準試料４１，４２は、レーザー光の通過領域の外縁近傍に配置される。よって、撮影で取得する眼底画像の注目部位（例えば、画像中心）の情報が、標準試料４１，４２によって大きく損なわれることはない。
【００３１】
また、レーザー光の通過領域内に配置された標準試料４１，４２の一方は、０ディオプターの被検眼Ｅに対して視度補正を行ったときに眼底Ｅｒと共役になる。反射標準試料４１と蛍光標準試料４２とのうち、レーザー光の通過領域内に挿入されるものは、図示しない駆動機構によって切り替えられる。
【００３２】
反射標準試料４１は、受光素子２５で受光される眼底反射光の強度を正規化するために撮影する部材である。図６に示すように、反射標準試料４１は、白部材４１ａと、黒部材４１ｂとを備えている。白部材４１ａは、照射されるレーザー光の大部分を乱反射させる部材である。白部材４１ａには、例えば、白色の紙、および、硫酸バリウムが塗布された部材を用いてもよい。また、黒部材４１ｂは、照射されるレーザー光の大部分を吸収する部材であればよい。例えば、黒色の植毛紙、および、艶消しの黒色が塗布された部材を用いてもよい。
【００３３】
また、蛍光標準試料４２は、被検眼Ｅの眼底から発せられる蛍光の強度を算出するために撮影される部材である。蛍光標準試料４２は、蛍光部材４２ａと、黒部材４２ｂとを備えている。本実施形態において、蛍光部材４２ａは、所定の励起光（第２レーザー光源から出射される可視域のレーザー光）によって蛍光を発する部材である。蛍光部材４２ａは、使用する励起光の波長で蛍光を発生させる特性を持つ蛍光物質である。例えば第２レーザー光源１１ｂからの可視光レーザーを励起光、フィルタ３１ｂをバリアフィルタとして蛍光を取得する場合には、ＭＩＣＲＯＳＣＯＰＹ／ＭＩＣＲＯＳＣＯＰＹ  ＥＤＵＣＡＴＩＯＮ製のＦＬＵＯＲ−ＲＥＦ  Ｒｅｄを使用すればよい。また、黒部材４２ｂは励起光を照射しても蛍光が発生しない部材を選べばよい。
【００３４】
なお、本実施形態では、撮影範囲に配置する標準試料４１，４２の一方を、０ディオプターの被検眼Ｅに対して視度補正を行ったときに被検眼Ｅの眼底Ｅｒと共役となる位置に配置している。しかし、標準試料４１，４２の配置位置はこれに限るものではなく、レーザー光の走査範囲内に標準試料４１，４２が配置されていればよい。
【００３５】
図７は、本実施形態における眼科装置１の制御系を示したブロック図である。眼科装置１の主な制御は、制御部２００によって行われる。制御部２００は、眼科装置１の各部の制御処理と、測定結果の演算処理とを行う電子回路を有する処理装置である。
【００３６】
本実施形態において、制御部２００は、フラッシュメモリ２０５、画像処理ＩＣ２０６、水晶体透過率データベース２０７、視度補正部４、レーザー光出射部１１、視度補正部１４、ポリゴンミラー駆動用モータ１６ａ、ガルバノミラー駆動用モータ１９ａ、受光素子２５、パルスモータ３２、標準試料ユニット４０、および、操作部５０に接続される。また、制御部２００は、画像処理ＩＣ２０６を介して、モニタ６０と接続される。なお、モニタ６０は、眼科装置１によって撮影された被検眼Ｅの画像、および、各種の測定結果を表示するための表示装置である。
【００３７】
また、制御部２００は、ＣＰＵ２０１と、ＲＯＭ２０２と、ＲＡＭ２０３とを備えている。ＣＰＵ２０１は、眼科装置１に関する各種の処理を実行するための処理装置である。ＲＯＭ２０２は、制御プログラムおよび固定データが格納された、不揮発性の記憶装置である。ＲＡＭ２０３は、書き換え可能な揮発性の記憶装置である。ＲＡＭ２０３には、例えば、眼科装置１による被検眼Ｅの撮影および測定に用いる一時データが格納される。
【００３８】
フラッシュメモリ２０５は、書き換え可能な不揮発性の記憶装置である。フラッシュメモリ２０５には、後述する蛍光画像撮影・解析処理を制御部２００に実行させるためのプログラムが、少なくとも格納されている。
【００３９】
画像処理ＩＣ２０６は、受光素子２５にて受光した信号を基に、被検眼Ｅの眼底画像を形成するための処理装置である。画像処理ＩＣ２０６は、受光素子２５から逐次出力される受光信号に基づいて、１フレーム分の眼底画像の画像データを構築（生成）し、モニタ６０に出力する。
【００４０】
水晶体透過率データベース２０７は、複数の被検眼について予め測定された水晶体透過率を格納するデータベースである。詳細は後述するが、本実施形態において、水晶体透過率データベース２０７の水晶体透過率は、白内障手術（例えば、ＩＯＬ手術）を行った被検眼の、手術前と手術後とに撮影した眼底画像を用いて求めたものである。
【００４１】
操作部５０には、検者に操作されるスイッチ等の入力装置が配設されている。本実施形態では、モード切替スイッチ５０ａ、光源選択スイッチ５０ｂ、光量調節ダイアル５０ｃ、屈折力値入力スイッチ５０ｄ、ジョイスティック５０ｅ、撮影スイッチ５０ｆ等の各種スイッチと、が用意されている。
【００４２】
モード切替スイッチ５０ａは、制御部２００で実行される眼科装置１の制御を、マニュアル撮影モードと、ＦＡＦ撮影モードとに切り替えるためのスイッチである。詳細は後述するが、マニュアルモードは、赤外光の眼底反射光で、眼底を観察するモードである。また、ＦＡＦ撮影モードは、眼底Ｅｒで発せられる自発蛍光を観察するモードである。光源選択スイッチ５０ｂは、レーザー光出射部１１から出射されるレーザー光の波長を選択するためのスイッチである。検者が光源選択スイッチ５０ｂを操作することによって、第１レーザー光源１１ａおよび第２レーザー光源１１ｂのうち、点灯および消灯させる光源を選択することができる。光量調節ダイアル５０ｃは、レーザー光出射部１１から出射されるレーザー光の光量を変更するためのダイアルである。本実施形態において、光量調節ダイアル５０ｃは、第１レーザー光源１１ａの光量調整ダイアルと、第２レーザー光源１１ｂの光量調整用ダイアルとの２つのダイアルを有する。屈折力値入力スイッチ５０ｄは、予め測定しておいた被検眼Ｅの屈折力値を検者が入力するためのスイッチである。ジョイスティック５０ｅは、検者が眼底Ｅｒの撮影範囲を指定するために操作される入力装置である。制御部２００は、ジョイスティック５０ｅの操作に応じて、図示しない駆動機構を駆動させて、眼科装置１を被検眼Ｅに対して移動させる。撮影スイッチ５０ｆは、眼底画像を撮影（キャプチャ）するために操作されるスイッチである。
【００４３】
以上のような構成を有する眼科装置において、その動作について説明する。ここでは、マニュアル撮影モードで、被検眼Ｅに対する眼科装置１の位置あわせを行った後に、ＦＡＦ撮影モード（自発蛍光撮影）で撮影を行い、自発蛍光画像の解析を行う方法について説明する。
【００４４】
＜マニュアル撮影モード＞
まず、検者は、眼科装置１を被検眼Ｅへ位置合わせするため、モード切替スイッチ５０ａを操作してマニュアル撮影モードを選択する。これによって、制御部２００は、パルスモータ３２を駆動させて、回転板３１の開口部３１ｃが光軸Ｌ２に位置するように回転板３１の回転角度を調節する。また、制御部２００は、標準試料ユニット４０の駆動機構（図示せず）を駆動して、光路Ｌ１上に、反射標準試料４１をセットする。
【００４５】
次に、検者は、光源選択スイッチ５０ｂを操作して、第１レーザー光源１１ａのみが点灯する状態を選択する。これによって、制御部２００は、第１レーザー光源１１ａを点灯させる。また、検者は、屈折力値入力スイッチ５０ｄから、事前に測定しておいた被検眼Ｅの屈折力値を入力する。制御部２００は、視度補正部１４の図示しない駆動機構によって、屈折力値に応じた位置へミラー１４ａ，１４ｂを駆動させる。このようにして、視度補正が行われる。
【００４６】
更に、検者は、被検眼Ｅに対する眼科装置１の撮影位置を変更するために、ジョイスティック５０ｅを操作する。制御部２００は、ジョイスティック５０ｅから出力される操作信号に応じて、図示無き駆動機構を駆動させて、被検眼Ｅに対して眼科装置１の光学系を移動させる。ここで、検者は、被検眼Ｅの眼底にレーザー光が照射されて眼底上の所望する箇所がモニタ６０に表示されるように、被検眼Ｅに対する眼科装置１の位置合わせを行う。
【００４７】
また、制御部２００は、ポリゴンミラー１６及びガルバノミラー１９を動作させることにより、被検眼Ｅの眼底上でレーザー光を二次元的に走査させる。このため、眼底上におけるレーザー光の走査位置に対応する眼底反射光が、受光素子２５によって逐次受光される。また、反射標準試料４１が、レーザー光の走査領域内に置かれている。よって、反射標準試料４１にレーザー光が照射される場合は、反射標準試料４１からの反射光が、受光素子２５によって受光される。眼底Ｅｒまたは反射標準試料４１からの反射光が受光素子２５に受光されることによって、受光素子２５から画像処理ＩＣ２０６へ受光信号が逐次出力される。画像処理ＩＣ２０６は、受光素子２５からの受光信号に基づいて、一枚の眼底画像（１フレーム分の画像）の画像データを、反射標準試料４１からの反射情報を含めた状態で構築し、モニタ６０に出力する。以上のような眼底画像の生成と出力とが、ポリゴンミラー１６及びガルバノミラー１９による１フレーム分の走査毎に繰り返されることで、モニタ６０の画面上において、被検眼Ｅの眼底を動画にてリアルタイムで観察可能となる。
【００４８】
このような制御により、モニタ６０には、赤外光を用いて撮影した眼底画像が動画像として表示される。検者は、モニタ６０に表示される眼底画像を見ながら操作部５０を操作して、眼底画像のピントを合わせる。被検眼Ｅと眼科装置１とが適正な位置関係となっていることが確認されてから、検者は、モード切替スイッチ５０ａを操作して、ＦＡＦ撮影モードを選択する。
【００４９】
＜ＦＡＦ撮影モード＞
ＦＡＦ撮影モードが選択されると、制御部２００は、ポリゴンミラー１６及びガルバノミラー１９の動作を維持したまま、以下の制御を行う。すなわち、制御部２００は、第１レーザー光源１１ａからの赤外光の出射を停止させると共に、光軸Ｌ２上にフィルタ３１ｂが位置するように回転板３１を回転させる。また、制御部２００は、蛍光標準試料４２を、光路上にセットする。続いて、制御部２００は、第２レーザー光源１１ｂから可視光のレーザー光を出射する。前述したように、第２レーザー光源１１ｂから出力される可視光のレーザー光は、眼底に蓄積されたリポフスチンを励起して、蛍光（自発蛍光）を発生させる。また、フィルタ３１ｂは、リポフスチンから発せられる蛍光を透過して、第２レーザー光源１１ｂの眼底反射光を遮断する。このため、受光素子２５には、眼底で発生する蛍光が受光される。このため、被検眼Ｅの眼底で発生する蛍光（自発蛍光像）が、モニタ６０に動画で表示される。よって、検者は、モニタ６０を通じて、被検眼Ｅの眼底で発生する蛍光を観察できる。なお、検者は、自発蛍光像が見やすい明るさになるように光量調節ダイアル５０ｃを操作する。これにより、制御部２００は、光量調節ダイアル５０ｃの示す光量に、第２レーザー光源１１ｂから出力される光量を変更する。
【００５０】
適切な自発蛍光像（動画）が観察できたときに、検者は、撮影スイッチ５０ｆを操作する。撮影スイッチ５０ｆが操作されると、制御部２００によって、蛍光画像撮影・解析処理が実行される。この蛍光画像撮影・解析処理は、自発蛍光像の静止画像を撮影すると共に、自発蛍光像の撮影範囲における自発蛍光の強度を求める処理である。
【００５１】
以下、図８を参照して、蛍光画像撮影・解析処理について説明する。初めに、自発蛍光像の静止画像を撮影する処理が実行される（Ｓ１）。ＣＰＵ２０１は、ポリゴンミラー１６およびガルバノミラー１９を駆動させると共に、ポリゴンミラー１６およびガルバノミラー１９による走査と連動して画像処理ＩＣ２０６によって生成される一枚の自発蛍光像の画像データを、ＲＡＭ２０３に格納する。画像データには、各画素の２次元座標と階調情報（階調値）とが含まれる。なお、本実施形態において、受光素子２５から画像処理ＩＣ２０６へ出力される受光信号の信号強度と、各画素の階調値との関係（階調特性）は、線形特性になっている。受光素子２５おいて受光される眼底からの光の強度（受光強度）と、各画素の階調値との関係（階調特性）も線形特性になっている。このように、本実施形態において、制御部２００は、眼底Ｅｒの各位置で反射される反射光（眼底からの光の一例）の強度であって、受光素子２５によって受光された光の強度を、画像処理ＩＣ２０６から出力される画像データとして取得する。
【００５２】
また、前述したように、レーザー光の走査範囲には、蛍光標準試料４２が配置されている。このため、図５に示すように、撮影される画像には、蛍光撮影された眼底画像部分Ｄと蛍光標準試料４２とが合わせて撮影される。
【００５３】
なお、本実施形態では、１フレーム分の自発蛍光像の画像データをＲＡＭ２０３に格納することとした。前述したように、一般に、自発蛍光の強度は微弱なので、画像処理ＩＣで複数フレームの眼底画像を加算処理した画像を、ＲＡＭ２０３に格納させるようにしてもよい。
【００５４】
次に、ＣＰＵ２０１は、Ｓ２以下の処理を実行して、自発蛍光像（静止画像）の撮影範囲における自発蛍光の蛍光強度を導出する。
【００５５】
Ｓ２の処理によって、ＣＰＵ２０１は、フィルタ３１ｂが光軸Ｌ２上から外れ、開口部３１ｃが光軸Ｌ２上に配置されるように回転板３１を回転させる（Ｓ２）。その結果、受光素子２５には、眼底で発生した蛍光だけでなく、第２光源１１ｂから出射される可視光レーザーの眼底反射光が受光される。また、ＣＰＵ２０１は、標準試料ユニット４０の駆動機構（図示せず）を駆動して、蛍光標準試料４２を光路上から退避させ、代わりに、反射標準試料４１を光路に挿入する（Ｓ３）。
【００５６】
続いて、ＣＰＵ２０１は、可視光の眼底反射光に基づく眼底画像（静止画像）を撮影し、眼底画像の画像データをＲＡＭ２０３に格納させる（Ｓ４）。本実施形態において、Ｓ４の処理では、上述したＳ１の処理と同様の処理を行うので、詳細な説明は省略する。なお、レーザー光の走査範囲の光路上には、反射標準試料４１が配置されるため、撮影される眼底画像の中には、眼底画像部分Ｄと、反射標準試料４１からの反射像と、が含まれることとなる（図５参照）。
【００５７】
次に、ＣＰＵ２０１は、点灯させるレーザー光を切り替える（Ｓ５）。具体的には、ＣＰＵ２０１は、第２レーザー光源１１ｂを消灯させると共に、第１レーザー光源１１ａを点灯させる。これによって、被検眼Ｅには、赤外光レーザーが照射される。そして、Ｓ１，Ｓ４の各処理と同様にして、ＣＰＵ２０１は、赤外光レーザーの眼底反射光に基づく眼底画像（静止画像）を撮影し、眼底画像の画像データをＲＡＭ２０３に格納する（Ｓ６）。なお、赤外光で撮影された画像の中には、眼底画像部分Ｄと、反射標準試料４１からの反射像と、が含まれる。
【００５８】
次に、Ｓ４の処理でＲＡＭ２０３に格納された画像データを参照して、可視光レーザーの眼底反射光に基づく眼底画像の明るさＢｂを算出する（Ｓ７）。Ｂｂは、次の式（１）によって与えられる。
【００５９】
Ｂｂ＝（Ｌｂ−Ｖｂ）／（Ｕｂ−Ｖｂ）・・・（１）
ここで、Ｌｂは、可視光レーザーの眼底反射光によって撮影された画像のうち、反射標準試料４１以外の領域（すなわち、眼底画像部分Ｄ）における平均階調値である。また、反射標準試料４１の白部材４１ａ部分における平均階調値がＵｂである。また、反射標準試料４１の黒部材４１ｂ部分における平均階調値がＶｂである。平均階調値Ｖｂによって、バックグラウンドの階調値が示される。よって、（Ｌｂ−Ｖｂ）は、眼底画像部分Ｄの実質的な階調値を示す。また、（Ｕｂ−Ｖｂ）は、白部材４１ａ部分の実質的な階調値を示す。従って、上記の式（１）では、眼底画像部分の実質的な階調値（Ｌｂ−Ｖｂ）を、白部材４１ａ部分の実質的な階調値（Ｕｂ−Ｖｂ）で正規化（本実施形態では除算）することによって、明るさＢｂを導いている。
【００６０】
このように、本実施形態では、眼底画像の明るさを、撮影された画像に含まれる各領域（眼底画像部分Ｄ、および、標準試料４１，４２部分）における平均階調値から決定する。しかし、眼底画像の明るさは、他の方法で決定しても良い。例えば、各領域の階調分布における中央値、又は、各領域の階調分布における最大階調値等から、眼底画像の明るさを決定してもよい。また、各領域において予め定められた特定の画素の階調値から、眼底画の明るさを決定することもできる。
【００６１】
ここで、明るさＢｂが、眼科装置１の撮影条件（装置の特性）の影響を受け難い値であることを説明する。受光素子２５から出力される受光信号の信号強度は、レーザー出射部１１から出射されるレーザー光の光量、及び、受光素子２５の受光特性（ゲイン特性）等に例示される撮影条件（装置の特性）に応じて異なってしまうことが知られている。眼底画像の階調値は、受光素子２５からの受光信号の信号強度と線形関係にあるので、眼底画像の階調値も、レーザー光の光量等の撮影条件に応じて異なってしまう。
【００６２】
しかしながら、レーザー光の光量等の撮影条件は、眼底画像部分Ｄの実質的な階調値（Ｌｂ−Ｖｂ）と、白部材４１ａ部分の実質的な階調値（Ｕｂ−Ｖｂ）とのそれぞれに対して、同様の比率で影響すると考えられる。一方、眼底画像部分Ｄの実質的な階調値（Ｌｂ−Ｖｂ）と、白部材４１ａ部分の実質的な階調値（Ｕｂ−Ｖｂ）との比は、詰まるところ、眼底画像部分Ｄに対応する範囲の可視光レーザーの反射率と、白部材４１ａ部分に対応する範囲の可視光レーザーの反射率との比と同じになると考えられる。このため、上記の式（１）において、明るさＢｂは、眼底画像部分Ｄに対応する範囲の可視光レーザーの反射率と、白部材４１ａ部分に対応する範囲の可視光レーザーの反射率との比率を示していると考えられる。
【００６３】
ここで、眼底画像部分Ｄに対応する範囲の可視光レーザーの反射率、および、白部材４１ａ部分に対応する範囲の可視光レーザーの反射率は、それぞれ、レーザー光の光量等の撮影条件に依らない値であると考えられる。また、白部材４１ａにおける可視光レーザーの反射率（反射特性）は、レーザー光の光量等の撮影条件に拘わらず、各撮影で一定である。よって、眼底画像部分Ｄに対応する範囲における可視光レーザーの反射率と、白部材４１ａにおける可視光レーザーの反射率との比率（明るさ）Ｂｂは、レーザー光の光量等、眼科装置１の撮影条件に依らない一定の基準に基づいて、眼底画像の明るさを評価した値であると考えられる。従って、Ｂｂには、眼科装置１の撮影条件の影響による誤差が含まれ難い。
【００６４】
なお、眼底画像部分Ｄに対応する範囲の可視光レーザーの反射率と、白部材４１ａにおける可視光レーザーの反射率との比は、受光素子２５によって受光される白部材４１ａからの光の強度と、受光素子２５によって受光される眼底反射光の強度との比と同義である。このため、明るさＢｂは、可視光レーザーによる眼底反射光の強度を、可視光レーザーによる白部材４１ａからの光の強度で正規化した値であると、言い換えることができる。
【００６５】
次に、ＣＰＵ２０１は、Ｓ７の処理と同様にして、赤外光レーザーで撮影した画像の明るさＢｉｒを算出する（Ｓ８）。明るさＢｉｒは、次の式（２）によって与えられる。
【００６６】
Ｂｉｒ＝（Ｌｉｒ−Ｖｉｒ）／（Ｕｉｒ−Ｖｉｒ）・・・（２）
ここで、Ｌｉｒは、赤外光レーザーの眼底反射光によって撮影された画像のうち、眼底画像部分Ｄの領域における各画素の階調値の平均値である。また、Ｕｉｒは、反射標準試料４１の白部材４１ａの画像領域における各画素の階調値の平均値であり、Ｖｉｒは、黒部材４１ｂの画像領域における各画素の階調値の平均値である。なお、各領域の階調値は、Ｓ６の処理によってＲＡＭ２０３に格納された画像データから求められる。式（２）においても、式（１）同様に、明るさＢｉｒは、赤外光レーザーによる眼底反射光の強度を、赤外光光レーザーによる白部材４１ａからの光の強度で正規化した値であると、言い換えることができる。
【００６７】
次に、ＣＰＵ２０１は、以下の式（３）に示すように、Ｓ７，Ｓ８において求めたＢｂ、Ｂｉｒの比率から、水晶体の混濁度Ｐを求める（Ｓ９）。なお、混濁度Ｐは、中間透光体（本実施形態においては、水晶体）の混濁を示すパラメーターであり、混濁が強くなるほど低下する。
【００６８】
Ｐ＝Ｂｂ／Ｂｉｒ・・・（３）
ここで、混濁度Ｐが、中間透光体の混濁の程度を示していることを説明する。本実施形態のように、眼底画像を撮影する場合、被検眼Ｅの混濁が強い（多い）ほど、多くの光が散乱されてしまう。このため、画像の明るさは、混濁が強いほど低下してしまうと考えられる。また、一般に、波長の短い光ほど、混濁によって散乱され易いとことが知られている。このため、可視光、赤外光でそれぞれ撮影された眼底画像についての明るさＢｂ，Ｂｉｒは、それぞれ、次の式（４）、式（５）で書き換えることができる。
【００６９】
Ｂｂ＝Ｒｂ×（１−Ｋｘ）・・・（４）
Ｂｉｒ＝Ｒｉｒ×（１−ｘ）・・・（５）
ここで、ｘは、赤外光（特に、本実施形態では、第１レーザー光源１１ｂから出射されるレーザー光の波長）を基準とした光散乱量を示している。ここでいう光散乱量とは、被検眼Ｅに入射する赤外光の光量に対する散乱光の割合のことである。ｘは、中間透光体における混濁が強いほど、大きな値となる。Ｋは、１より大きな定数であり、赤外光に対する可視光の散乱され易さを示す値である。また、Ｒｂは、可視光の反射率である。Ｒｉｒは、赤外光の反射率である。式（４）および式（５）から、ＢｂとＢｉｒとの比率を求めると、次の式（６）のように書ける。
【００７０】
Ｂｂ／Ｂｉｒ＝｛Ｒｂ／Ｒｉｒ｝×｛（１−Ｋｘ）／（１−ｘ）｝
＝｛Ｒｂ／Ｒｉｒ｝×｛Ｋ−（Ｋ−１）／（１−ｘ）｝・・・（６）
ここで、ＲｂおよびＲｉｒは、網膜形状等の被検眼Ｅの個体差によって被検眼Ｅ毎に異なる値となる。しかし、ＲｂとＲｉｒの比率は、被検眼Ｅが異なっても、投光する光の波長の組み合わせに応じて、一定の比率になると考えられる。よって、Ｒｂ／Ｒｉｒを、所定の定数Ｊで置き換えることができる。そこで、式（６）を、以下の式（７）に書き換える。
【００７１】
Ｐ＝Ｊ×｛Ｋ−（Ｋ−１）／（１−ｘ）｝，Ｐ＝Ｂｂ／Ｂｉｒ・・・（７）
このように、Ｐは、中間透光体における散乱光の割合ｘが大きいほど、即ち、混濁が強いほど、減少する量である。よって、中間透光体の混濁の度合いを、可視光で撮影された眼底画像の明るさＢｂと、赤外光で撮影された眼底画像の明るさＢｉｒとの比率Ｐによって示すことができると考えられる。
【００７２】
次に、Ｓ１０の処理に移行して、ＣＰＵ２０１は、水晶体透過率データベース２０７を参照することによって、混濁度Ｐに応じた水晶体の透過率を取得する（Ｓ１０）。水晶体透過率データベース２０７には、事前に測定された複数の被検眼についての水晶体透過率が、水晶体の混濁度Ｐに対応付けて格納されている。前述したように、本実施形態では、水晶体透過率データベース２０７に格納される水晶体透過率は、白内障手術を行った同一の被検眼についての、手術前の状態と手術後の状態とのそれぞれの状態で撮影した眼底画像を用いて求めている。水晶体透過率Ｔλは、次の式（８）で求めることができる。
【００７３】
Ｔλ＝Ｂλ／Ｒλ・・・（８）
式（８）のＢλは、白内障手術前の被検眼（即ち、水晶体に混濁のある被検眼）に対して所定波長のレーザー光を投光することによって撮影された、眼底画像の明るさを示す。Ｒλは、白内障手術後の被検眼（即ち、混濁部位が水晶体から除去された被検眼）に対して所定波長のレーザー光を投光することによって撮影された、眼底画像の明るさを示す。なお、本実施形態では、白内障手術前の眼底画像の明るさＢλと、白内障手術後の眼底画像の明るさＲλとは、Ｓ７，Ｓ８と同様の方法で正規化している。なお、所定波長のレーザー光による眼底画像の撮影は、本実施形態の眼科装置１以外の眼科装置で行ってもよい。このような眼科装置は、被検眼Ｅの眼底Ｅｒに所定の波長の光を投光する投光光学系と、投光光学系から投光された光に伴い眼底からの光を受光する受光素子を有する受光光学系とを備え、受光素子の受光結果に基づいて眼底画像を撮影するものであればよい。また、眼底画像を撮影しなくても、眼底Ｅｒに投光される光に伴う眼底Ｅｒからの光の強度を取得する構成を有していれば良い。
【００７４】
また、本実施形態では、ＣＰＵ２０１が、水晶体透過率を水晶体透過率データベース２０７から取得する際に、水晶体透過率データベース２０７に格納された複数の被検眼Ｅについての（Ｔλ，Ｐ）の関係を、最小二乗法を用いて近似式に近似する。そして、ＣＰＵ２０１は、近似式にＳ９の処理で得た混濁度Ｐを代入して、水晶体透過率を得る。なお、これに限らず、水晶体透過率データベース２０７に格納された複数の（Ｔλ，Ｐ）の組み合わせを直線補間し、Ｓ９の処理で得た混濁度Ｐに対応する水晶体透過率を、補間直線から求めてもよい。
【００７５】
次に、ＣＰＵ２０１は、Ｓ１の処理で撮影した自発蛍光像における蛍光強度を求める（Ｓ１１）。まず、Ｓ１の処理で撮影した自発蛍光像の眼底画像部分Ｄに含まれる各々の画素についての明るさＢｆを、次の式（９）によって求める。
【００７６】
Ｂｆｉ＝（Ｌｆｉ−Ｖｆ）／（Ｕｆ−Ｖｆ）  但し、ｉ＝（１，２，・・・，ｎ）・・・（９）
ここで、Ｌｆｉは、自発蛍光像の眼底画像部分Ｄに含まれる１画素の階調値を示す。Ｂｆｉ，Ｌｆｉの添え字ｉは、ｎ個の画素からなる眼底画像部分Ｄにおける対応画素を示している。また、蛍光標準試料４２の蛍光部材４２ａの画像領域における各画素の階調値の平均値がＵｆであり、黒部材４２ｂの画像領域における各画素の階調値の平均値がＶｆである。自発蛍光像の階調値は、眼科装置１の撮影条件に応じて異なるため、本実施形態では、式（９）によって、撮影条件に依らない正規化された画像の明るさを求めている。Ｂｆｉは、水晶体の混濁によって散乱された分だけ、眼底Ｅｒから発せられた自発蛍光の蛍光強度Ａｆｉよりも少なくなっている。このため、自発蛍光像の各画素における蛍光強度Ａｆｉは、水晶体の透過率Ｔλ、後述する係数ＣｄおよびＣｓ、を用いて、次の式（１０）で表すことができる。
【００７７】
Ａｆｉ＝Ｂｆｉ×（１／Ｔλ）×Ｃｄ×Ｃｓ  但し、ｉ＝（１，２，・・・，ｎ）・・・（１０）
係数Ｃｄは視度補正手段による視度補正位置によって変動する蛍光部材４２ａの明るさ（階調値）を補償するための係数である。係数Ｃｓは被検眼Ｅの眼球の大きさなど眼底情報を補償するための係数である。係数Ｃｓは、例えば、検者が被検眼Ｅの角膜曲率半径、眼軸長の何れか一方または両方と屈折度を装置に入力することで、制御部２００が、入力された情報に対応した係数値を設定してもよい。なお、係数Ｃｄ，Ｃｓは、必須となるものではなく、これらの係数は許容される精度との関係で適宜選択して使用されればよい。このように、本実施形態では、ＣＰＵ２０１に、式（１０）を演算させることで、自発蛍光像の（各画素における）蛍光強度を、中間透光体の混濁の程度に応じて補正するための処理が行われる。
【００７８】
次に、Ｓ１１の処理で算出した各画素の蛍光強度に所定の係数を乗じて階調情報に変換したうえで、モニタ６０へ出力する（Ｓ１２）。モニタ６０には、各画素の階調値が補正された自発蛍光像が表示される。これによって、例えば、検者は、モニタ６０に表示された自発蛍光画像から、自発蛍光物質の分布状態および蓄積量を把握することができる。なお、このとき、Ｓ９，Ｓ１０の処理で得られた混濁度Ｐの値、又は水晶体透過率Ｔλの値を、モニタ６０に表示出力してもよい。これにより、検者は、あわせて白内障の程度を把握することができる。また、式（１０）で求めた自発蛍光の強度の平均値をＣＰＵ２０１で算出させて、モニタ６０に表示出力してもよい。この場合は、検者が自発蛍光物質の蓄積総量を推測しやすくなる。
【００７９】
次に、ＣＰＵ２０１は、フィルタ３１ｂの位置と、レーザー光出射部１１から出射されるレーザー光とを、蛍光画像撮影・解析処理の実行前の状態に戻す（Ｓ１３）。具体的には、光軸Ｌ２上にフィルタ３１ｂをセットする。また、第１レーザー光源１１ａを消灯すると共に、第２レーザー光源１１ｂを点灯させる。これによって、検者は、続けて眼底Ｅｒの自発蛍光像を撮影することができる。そして、ＣＰＵ２０１は、蛍光画像撮影・解析処理を終了させる。
【００８０】
以上説明したように、本実施形態の眼科装置１では、眼科装置１から眼底Ｅｒ上の撮影範囲の各位置に投光したレーザー光に伴う眼底反射光（眼底Ｅｒからの光）を、受光素子２５に受光させることによって、眼底画像を撮影する。眼科装置１では、眼底画像の画像データにおいて、受光素子２５で受光される眼底Ｅｒからの光の強度を示す階調値から、中間透光体の混濁の程度（本実施形態では、混濁度Ｐ、及び、水晶体透過率Ｔλ）を解析した。被検眼Ｅの中間透光体における混濁が強いほど、眼底Ｅｒへのレーザー光の散乱量、および、眼底Ｅｒからの光の散乱量は、それぞれ多くなる。よって、中間透光体の混濁が強いほど、受光素子２５で受光される光の強度が低下する。このように、受光素子２５で受光される光の強度には、中間透光体の混濁の程度が反映される。よって、眼科装置１は、眼底Ｅｒの各位置で反射される反射光の強度に基づいて、中間透光体の混濁の程度を求めることができる。
【００８１】
また、中間透光体の混濁の程度を求める場合、被検眼Ｅの前眼部の観察結果に基づいて求める手法が考えられる。例えば、前眼部を観察するための光学系によって、被検眼Ｅの前眼部画像（いわゆる徹照像）を撮影する。そして、前眼部画像に写りこんだ混濁のサイズや、色の濃淡に基づいて、混濁の程度を求める手法が考えられる。
【００８２】
これに対し、本実施形態の眼科装置１によれば、眼底画像の画像データに基づいて中間透光体の混濁の程度を解析する。よって、眼科装置１は、必ずしも前眼部を観察する光学系が設けられていなくても、中間透光体の混濁の程度を求めることができる。
【００８３】
また、眼軸長、網膜形状、網膜における光の反射率等には被検眼毎の個体差がある。このため、中間透光体の混濁の程度が同程度の被検眼Ｅを撮影する場合であっても、受光素子２５によって受光される眼底Ｅｒからの光の強度は、被検眼毎にばらついてしまう。よって、眼底Ｅｒの各位置で反射される反射光の強度に基づいて、中間透光体の混濁の程度を解析する場合に、混濁の程度を示す基準が、被検眼毎に異なってしまう場合があることが考えられる。混濁の程度を示す基準が、被検眼毎に異なってしまうと、例えば、別々の被検眼Ｅの症例を比べるときに、それぞれの被検眼について求められた中間透光体の混濁の程度を、参考にし難いといった問題が生じると考えられる。
【００８４】
これに対し、本実施形態の眼科装置１では、中間透光体の混濁の程度が、可視光で撮影された眼底画像の明るさＢｂ（即ち、可視光レーザーに伴う眼底反射光の強度）と、赤外光で撮影された眼底画像の明るさＢｉｒ（即ち、赤外光レーザーに伴う眼底反射光の強度）との比率を用いて取得される（Ｓ９，Ｓ１０）。前述したように、ＢｂとＢｉｒとの比率は、被検眼毎の個体差に依らず、中間透光体の混濁の程度に応じた値となると考えられる。よって、眼科装置１によって求められる中間透光体の混濁の程度において、被検眼Ｅの個体差（例えば、眼軸長、網膜形状、網膜における光の反射率等）の影響による誤差を抑制できる。その結果、例えば、眼科装置１によって、異なる被検眼Ｅを観察する場合に、それぞれの被検眼Ｅにおける中間透光体の混濁の程度を、同じ基準で求めることができる。
【００８５】
ところで、前述したように、眼底画像の画像データの階調値は、例えば、レーザー光の光量、および受光素子２５のゲイン等の、眼科装置１の撮影条件が影響してしまう。眼底Ｅｒからの光が受光素子２５で受光されることによって受光素子２５からから出力される受光信号の信号強度に、レーザー光の光量等の撮影条件が影響してしまうからである。
【００８６】
これに対し、本実施形態の眼科装置１では、撮影された画像に含まれる眼底画像部分Ｄの階調値（Ｌｂ−Ｖｂ），（Ｌｉｒ−Ｖｉｒ）が、それぞれ白部材４１ａの階調値（Ｕｂ−Ｖｂ），（Ｕｉｒ−Ｖｉｒ）によって正規化されて、Ｂｂ，Ｂｉｒが求められる。Ｂｂ，Ｂｉｒは、受光素子２５で受光された眼底反射光の強度を、受光素子２５で受光された白部材４１ａからの光の強度で正規化した値と同義である。前述したように、Ｂｂ，Ｂｉｒは、正規化される前と比べて、眼科装置１の撮影条件の影響による誤差が抑制される。被検眼Ｅにおける中間透光体の混濁の程度は、Ｂｂ，Ｂｉｒに基づく値なので、中間透光体における混濁の程度の解析値において、眼科装置１の撮影条件による誤差を抑制できる。よって、例えば、同一の被検眼Ｅについて、異なる撮影条件で撮影が行われた場合でも、同じ中間透光体の混濁の程度が得られ易い。
【００８７】
また、眼科装置１では、水晶体透過率データベース２０７を参照することによって、混濁度Ｐに対応する水晶体の透過率を得ることができる。よって、眼科装置１では、被検眼Ｅの水晶体の透過率を好適に得ることができる。
【００８８】
しかも、水晶体透過率データベース２０７に格納される水晶体透過率Ｔλは、白内障手術前と白内障手術後との各状態で、眼底からの光の強度を測定して求めた値である。よって、眼科装置１では、水晶体透過率データベース２０７から、水晶体の正確な透過率を得ることができる。
【００８９】
また、眼底で発生した自発蛍光の強度を測定する場合に、被検眼の中間透光体に混濁があると、中間透光体に混濁がない場合と比べて自発蛍光の強度の測定値が小さくなってしまうおそれがあった。このため、眼底Ｅｒで発生した自発蛍光の強度（光量）を定量的に求めることが難しかった。よって、例えば、中間透光体に混濁がある被検眼の眼底における自発蛍光物質の蓄積量を、受光素子で受光された蛍光の強度から測定する場合に、自発蛍光物質の蓄積量が、実際よりも少なめに見積もられてしまうおそれがあった。
【００９０】
これに対し、本実施形態では、中間透光体の混濁の程度を解析した結果として制御部２００が取得する水晶体透過率Ｔλを加味して、自発蛍光の蛍光強度を求めている。このため、中間透光体の混濁の影響を抑制しつつ、眼底Ｅｒで発生した自発蛍光の強度を定量的に求め易いという効果がある。
【００９１】
なお、本実施形態における蛍光画像撮影・解析処理のアルゴリズム（例えば、式（１）〜式（１０））を適宜変更できることは言うまでもない。例えば、水晶体透過率データベース２０７を用いて水晶体透過率Ｔλを求める処理を省略することもできる。この場合、例えば、上記の式（１０）において水晶体透過率Ｔλの変わりに混濁度Ｐを用いることで、自発蛍光像の蛍光強度を補正してもよい。
【００９２】
以上、実施形態に基づき説明したが、本発明は、上記実施形態に限定されることなく、様々な変形が可能であることは勿論である。
【００９３】
例えば、上記実施形態においては、眼科装置１は、眼底Ｅｒに蓄積された自発蛍光物質で発生する蛍光の蛍光強度を混濁の程度に応じて定量化するものとして説明したが、眼底反射光の反射強度を定量化する場合に適用することができる。また、蛍光造影剤を用いて眼底を撮影する場合に、蛍光造影剤から発生する蛍光の強度を混濁の程度に応じて定量化する場合にも適用することができる。蛍光造影剤としては、インドシアニングリーン、フルオレセイン等を用いることができる。
【００９４】
また、上記実施形態では、可視光で撮影された眼底画像の明るさＢｂと、赤外光で撮影された眼底画像の明るさＢｉｒとの比率を算出することで混濁度Ｐを求める場合について説明した。しかし、必ずしも眼科装置１で比率を算出する処理を行う必要はなく、可視光で撮影された眼底画像の明るさとＢｂと、赤外光で撮影された眼底画像の明るさＢｉｒとの比率に対応した混濁度Ｐが取得できればよい。例えば、予めＢｂ，Ｂｉｒの複数の組み合わせに対応づけて、混濁度Ｐが記憶されたテーブルを眼科装置１に用意しておく。そして、眼科装置１よる被検眼Ｅの測定で得られたＢｂ，Ｂｉｒに基づいてテーブルを参照することで、Ｂｂ，Ｂｉｒに対応する混濁度Ｐを取得してもよい。
【００９５】
また、上記実施形態では、眼科装置１が、混濁度Ｐおよび水晶体透過率Ｔλを、混濁の程度として取得する場合について説明した。しかし、眼科装置１が取得する混濁の程度は、これらの情報以外のものであってもよい。例えば、混濁の程度を、複数段階の（例えば５段階）の評価で示すような情報を取得させてもよい。
【００９６】
また、上記実施形態においては、眼科装置１は、走査型レーザー検眼鏡であるものとして説明したが、本発明を、眼底の各位置からの光の強度を取得する他の眼科装置に適用してもよい。例えば、本発明を、眼底カメラに適用しても良い。なお、眼底に投光される光に伴う眼底からの光の強度を取得できるのであれば、本発明を実施するうえで、必ずしも眼底画像を撮影する構成を有している必要はない。
【００９７】
なお、本発明を眼底カメラに適用する場合は、眼底Ｅｒの自発蛍光像を撮影する場合とは別に、波長帯の異なるフラッシュ光を、眼底Ｅｒに順次照射することによって、中間透光体の混濁の程度を求めるための眼底画像を撮影してもよい。また、眼底カメラによってカラー眼底画像が撮影される場合には、制御部２００が１枚のカラー眼底画像を用いて中間透光体の混濁の程度を求めることもできる。例えば、眼底画像の画像データにＲ（赤）、Ｇ（緑）、Ｂ（青）、ＩＲ（赤外）の４色の輝度情報（例えば、輝度値）が含まれている場合、このうちの少なくとも２色の輝度情報を用いて中間透光体の混濁の程度が求められる。例えば、カラー眼底画像の第1の色成分（例えば、Ｂ成分）の輝度値を、式（１）
のＬｂに代入し、第1の色成分とは異なる第２の色成分（例えば、Ｒ成分）の輝度値を式
（２）のＬｉｒに代入することで、上記実施形態のアルゴリズムを用いて、中間透光体の混濁の程度を装置が求めることができる。このとき、ＬｂおよびＬｉｒは、眼底の同一の範囲についての値なので、装置は、より適正な中間透光体の混濁の程度を求めることができる。
【００９８】
また、上記実施形態では、眼底に投光するレーザー光の波長を切り替えて撮影した２種類の眼底画像（可視光レーザーの眼底反射光に基づく眼底画像、および、赤外光レーザーの眼底反射光に基づく眼底画像）を用いて、中間透光体の混濁の程度を解析する場合を説明したが、必ずしも２種類の眼底画像を撮影する必要は無い。例えば、測定精度との関係で、被検眼毎の個体差による誤差が許容されるのであれば、いずれか１種類の眼底画像だけを用いて、混濁の程度を求めることができる。この場合、例えば、予め、所定波長のレーザー光で、中間透光体に混濁の無い被検眼についての眼底画像（以下、「基準画像」と称す。）、或いは、その眼底画像の平均階調値を、ＲＡＭ２０３に記憶させておく。また、眼科装置１によって、所定波長のレーザー光で眼底画像が撮影された場合に、制御部２００に、撮影された眼底画像の階調値を求めさせる。そして、撮影された眼底画像の階調値と、基準画像における階調値との比率を、混濁度Ｐ（混濁の程度の一例）として求めてもよい。
【００９９】
また、上記実施形態では、２種類の眼底画像（可視光レーザーの眼底反射光に基づく眼底画像、および、赤外光レーザーの眼底反射光に基づく眼底画像）を撮影するために投光光学系２から眼底に投光されるレーザー光の波長が、可視域と赤外域とに切り替えられる場合について説明したが、投光光学系２から可視域のレーザー光と赤外域のレーザー光とが同時に出力された状態で、眼科装置１が２種類の眼底画像を撮影することもできる。この場合、例えば、赤外域の光（第１光に伴う眼底反射光）を透過し可視域の光（第２光に伴う眼底反射光）を遮断する赤外透過フィルタと、赤外域の光の光を遮断し可視域の光を透過する可視透過フィルタと、が回転板３１に設けられてもよい。そのうえで、制御部２００が、赤外透過フィルタと、可視透過フィルタとを撮影光学系３の光路上に切り替えて配置させる。その結果、眼科装置１は、異なる波長のレーザー光を用いて撮影された２種類の眼底画像を、受光素子２５の受光結果に基づいて取得できる。
【０１００】
また、投光光学系２から波長の異なる２種類のレーザー光が同時に出力される場合に眼科装置１で取得される２種類の眼底画像は、同時に撮影されたものであってもよい。例えば、図９に示すように、ダイクロイックミラー２６と、受光素子２７とが、撮影光学系３に設けられても良い。ダイクロイックミラー２６は、撮影光学系３の光軸Ｌ２上に配置され、赤外域の光を反射し可視域の光を透過する。このため、ダイクロイックミラー２６は、投光光学系２から２種類のレーザー光が同時に出力される場合に、赤外域の光に伴う眼底反射光と、可視域の光に伴う眼底反射光とを分離する。また、受光素子２７は、ダイクロイックミラー２６の反射側の光軸上に配置され、少なくとも赤外域に感度を持つ。このような光学系を持つ眼科装置１は、受光素子２５および受光素子２７のそれぞれによって同時に撮影された２種類の眼底画像を取得できる。同時に撮影された２種類の眼底画像の間には、被検眼Ｅの時間的変化による差（例えば、固視微動による画像間の位置ズレ等）が無い。よって、眼科装置１が求める中間透光体の混濁の程度において、被検眼Ｅの時間的変化に基づく誤差が抑制される。
【０１０１】
また、上記実施形態では、中間透光体の混濁の程度を解析するための画像を、レーザー光の眼底反射光によって撮影する場合について説明したが、眼底で発生した蛍光によって撮影しても良い。この場合は、眼科装置の受光素子に対して、眼底反射光を入射させずに蛍光を入射させるとよい。よって、例えば、中間透光体の混濁の程度を解析するための画像を撮影する際に、上記実施形態の回転板３１に、眼底反射光を遮断しつつ、眼底Ｅｒからの蛍光を透過する分光特性のフィルタを配置してもよい。
【０１０２】
また、上記実施形態において、赤外域のレーザー光と、可視域のレーザー光とを被検眼Ｅに投光して中間透光体の混濁の程度を求める場合について説明したが、他の波長のレーザー光を被検眼Ｅに投光して中間透光体の混濁の程度を求めてもよい。但し、紫外域の波長の光は、角膜で吸収され易いので、可視域、又は、可視域よりも波長の長い光を投光することが好ましい。２種類のレーザー光は、波長の差が大きいほど、混濁による散乱の影響が異なる。このため、混濁の程度（本実施形態では、混濁度Ｐ、および水晶体透過率Ｔλ）を精度良く求め易くなる。そこで、２種類のレーザー光を、可視域と紫外域との境界付近の光（波長が３８０ｎｍ付近の光）と、赤外域（波長が７９０ｎｍ以長の光）との組み合わせとすることがより好ましい。
【０１０３】
また、上記実施形態では、式（１）で使用するＶｂ、式（２）で使用するＶｉｒは、それぞれ、撮影された画像における黒部材４１ｂ，４２ｂの階調値を取得して決定したが、黒部材４１ｂ，４２ｂを設けずに、レーザー光を消灯したときの受光素子２５の受光信号からなる階調値を、ＶｂおよびＶｉｒとして使用しても良い。
【０１０４】
また、上記実施形態では、明るさＢｂ，Ｂｉｒの比率（即ち、赤外光レーザーによる眼底反射光の強度と、可視光レーザーによる眼底反射光の強度と、の比率）を用いて、中間透光体の混濁の程度（混濁度Ｐおよび水晶体透過率Ｔλ）求める場合を説明した。しかし、中間透光体の混濁の程度を、他の演算によって求めてもよい。例えば、明るさＢｂ，Ｂｉｒの差を用いて、中間透光体の混濁の程度を求めてもよい。
【０１０５】
また、上記実施形態では、標準試料４１，４２のいずれかを、常にレーザー光の走査範囲内に配置するものとしているが、これ限るものではない。例えば、マニュアルモード等、自発蛍光撮影を行わない撮影モードでは、標準試料４１，４２を両方とも、レーザー光の走査範囲の外へ退避させてもよい。これによって、蛍光強度の解析が不要な撮影モードでは標準試料４１，４２が写り込むことがなく、自発蛍光撮影時に標準試料４１，４２の背後に隠れてしまう眼底の情報を取得できる。
【０１０６】
また、上記実施形態では、反射標準試料４１および蛍光標準試料４２の一方を、凹面ミラー２１とミラー２０との間に配置する場合について説明したが、他の位置に配置してもよい。例えば、穴あきミラー１２とレンズ１３との間に、駆動機構によって配置が切り替わるミラーを配置する。ミラーが挿入された状態で、ミラーによって反射されるレーザー光の光路上に、標準試料４１，４２を配置させる。この場合、ミラーを挿入させた状態では、標準試料４１，４２が撮影され、ミラーが退避された状態では眼底画像が撮影されるので、眼底画像の階調値Ｌｂ、Ｌｉｒと標準試料４１，４２の階調値（Ｕｂ，Ｖｂ）、（Ｕｉｒ，Ｖｉｒ）とを、それぞれ別々に撮影した画像から求めるとよい。
【０１０７】
また、上記実施形態では、眼底画像部分Ｄと標準試料４１，４２との両方が含まれる眼底画像を、モニタ６０上に表示するものとして説明した。しかし、モニタ６０には、標準試料４１，４２を除いた範囲を表示させるようにしてもよい。
【０１０８】
また、上記実施形態では、可視光で撮影された眼底画像の明るさＢｂ、および、赤外光で撮影された眼底画像の明るさＢｉｒを算出するために、白部材４１ａと黒部材４１ｂとを含む反射標準部材４１を設けた。しかし、反射標準部材４１には、白部材４１ａと黒部材４１ｂとの中間の反射率を持つ中間部材を設けても良い。
【０１０９】
例えば、中間透光体の混濁が強い場合に、十分な明るさの眼底画像を撮影するため、レーザー光の光量や受光素子２５のゲインを高めたい場合がある。このとき、白部材４１ａにおける平均階調値Ｕｂ，Ｕｉｒは、飽和レベル（階調値が０〜２５５であれば２５５）となり易い。また、黒部材４１ｂにおけるＶｂ，Ｖｉｒは、ゼロレベル（階調値が０〜２５５であれば０）となり易い。Ｕｂ，Ｕｉｒが飽和レベルまたはＶｂ，Ｖｉｒがゼロレベルとなっている場合は、反射標準試料４１からの反射光の強度が、（Ｕｂ，Ｖｂ）または（Ｕｉｒ，Ｖｉｒ）に正確に反映されていないおそれがあると考えられる。よって、この場合は、ＢｂまたはＢｉｒが、不正確な値となってしまうおそれがある（式（１），式（２）参照）。これに対して、反射標準試料４１に、白部材４１ａと黒部材４１ｂとの中間の反射率を持つ中間部材を追加する。例えば、白部材４１ａおよび黒部材４１ｂにおけるレーザー光の反射率が、それぞれ、９９％および１％である場合に、反射率６４％の第１中間部材と、反射率２５％の第２中間部材とを設ける。そして、それぞれのレーザー光が照射された場合における第１中間部材の平均階調値をＵｂ又はＵｉｒに代入すると共に、それぞれのレーザー光が照射された場合における第２中間部材の平均階調値をＶｂ又はＶｉｒに代入することによって、Ｂｂ及びＢｉｒを算出すればよい。なお、中間部材の階調値を用いて眼底画像の明るさＢｂ，Ｂｉｒを求めるＣＰＵ２０１の処理は、検者から操作部５０に対する所定の入力に基づいて行うようにしても良い。また、例えば、蛍光画像撮影・解析処理のＳ８，Ｓ９の処理において、レーザー光の光量や受光素子２５のゲインが、所定の閾値よりも高いか否かをＣＰＵ２０１に判定させる。そして、ＣＰＵ２０１によって、所定の閾値よりも高いと判定された場合に、中間部材の階調値を用いてＢｂ，Ｂｉｒを求めるようにしても良い。また、蛍光画像撮影・解析処理のＳ８，Ｓ９の処理において、白部材４１ａの階調値が飽和レベル、又は、黒部材４１ｂの階調値がゼロレベルであるか否かをＣＰＵ２０１に判定させる。そして、白部材４１ａの階調値が飽和レベル、又は、黒部材４１ｂの階調値がゼロレベルであるとＣＰＵ２０１によって判定された場合に、中間部材の階調値を用いてＢｂ，Ｂｉｒを求めるようにしても良い。
【０１１０】
また、上記実施形態において、水晶体透過率データベース２０７には、複数の被検眼についての水晶体透過率Ｔλに、混濁度Ｐが対応付けされているものとして説明したが、必ずしもこれに限られるものではない。例えば、水晶体透過率データベース２０７には、中間透光体の透過率に関する情報として、水晶体に混濁の無い被検眼（正常眼）における混濁度Ｐ０（即ち、上記実施形態の式（７）における定数Ｊ）の値が格納されていても良い。この場合、制御部２００は、式（７）によって得られる混濁度Ｐを水晶体透過率データベース２０７の混濁度Ｐ０で除算した値を、中間透光体の透過率として求めることができる。ここで、図１０に、所定の透過率を持つ模型眼に対して、混濁度Ｐ０を用いて眼科装置１で測定される中間透光体の混濁度および透過率を示す。
【０１１１】
図１０に結果を示した各測定では、模型眼の前方に、白内障眼に近い波長透過特性の混濁を有する液体を配置することで、模型眼を白内障眼に模擬した。また、模型眼の眼底は、被検眼の眼底と同様の光反射特性（光吸収特性）を持つ。図１０の縦軸に示す「透過率」は、光が完全に透過するときを「１」とし、光が全く透過しないときを「０」としている。また、「データ番号」が小さな番号のときほど、模型眼前方の液体の混濁を強めて測定している。なお、５番のデータでは、液体を全く混濁させずに測定している。図１０に示すように、眼科装置１で測定される混濁度（測定値）は、中間透光体の混濁の有無に関わらず、１よりも小さな値となる。可視光レーザーが、赤外光レーザーに比べて眼底で吸収されやすいためである。図１０に示すように、混濁度（測定値）を水晶体透過率データベース２０７に格納されたＰ０で除算した場合、模型眼の実際の透過率（設定値）に対する誤差が少ない透過率（測定値）が、眼科装置１によって測定される。
【０１１２】
また、水晶体透過率データベース２０７には、例えば、明るさＢｂ，Ｂｉｒと、水晶体透過率Ｔλとが対応付け記憶されていてもよい。また、水晶体透過率データベース２０７には、複数の被検眼についての、白内障前の眼底画像と、手術後の眼底画像とが格納されていてもよい。この場合は、水晶体透過率データベースを参照する都度、制御部２００が混濁度Ｐ等に対応する水晶体透過率データベース２０７の眼底画像から水晶体透過率Ｔλを求める。また、水晶体透過率データベース２０７は、眼科装置１とは別体の記憶装置であってもよい。
【０１１３】
また、眼科装置１において、凹面ミラー２１と被検眼Ｅとの間に、絞り（人口瞳）を設けてもよい。これによって、被検眼Ｅの瞳孔径に拘わらず、各被検眼に入射するレーザー光量が揃い易くなる。その結果、眼科装置１で撮影された自発蛍光像を、他の被検眼の自発蛍光像と比較し易くなる。
【０１１４】
また、上記実施形態では、第１光に伴う眼底からの光についての強度情報（上記実施形態では、明るさＢｉｒ）および第２光に伴う眼底からの光についての強度情報（上記実施形態では、明るさＢｂ）が、眼底画像部分Ｄの全範囲に含まれる画素の階調値に基づいて制御部２００で取得される場合について説明した。しかし、制御部２００は、眼底からの光についての強度情報を、眼底画像部分Ｄの一部の範囲に含まれる画素の階調値に基づいて取得してもよい。また、このときの眼底画像部分Ｄの一部は、予め装置に取得された範囲指定情報に基づいて設定してもよい。範囲指定情報は、例えば、操作部５０等を介して検者が指示した眼底画像部分Ｄ上の範囲を示す情報であってもよく、また、予め定められた固定的な範囲を示す情報であってもよい。
【０１１５】
ところで、本発明者は、眼底画像部分Ｄにおいて強度情報が取得される範囲が明瞭である場合ほど、上記実施形態の処理によって中間透光体の混濁の程度が適正に得られることを見出した。このために、例えば、制御部２００は、強度情報を取得する範囲として、眼底画像部分Ｄにおける中心領域Ｄ１（図１１参照）を設定してもよい。眼底Ｅｒと受光素子２５とが共役な位置関係になるように視度を調節して撮影した眼底画像では、撮影光学系３の中心領域に近い画像領域ほど、画像を撮影した光学系（撮影光学系３）および被検眼等による収差の影響が少なく、明瞭な画像になるからである。一方、眼底画像部分Ｄにおける周辺領域Ｄ２は、収差の影響が大きく、不明瞭な画像となる可能性がある。
【０１１６】
なお、強度情報を取得する範囲は、眼底画像において収差等の影響が抑制されやすい領域に設定されればよく、必ずしも撮影中心の周りに設定されなくても良い。例えば、画像を撮影する光学系に関する情報（視度情報、収差情報等）、被検眼に関する情報（屈折力および眼軸長に関する情報、収差情報等）を取得して、眼底画像において明瞭な像が形成される領域を制御部２００が求め、その領域から制御部２００が強度情報を取得してもよい。
【０１１７】
また、上記各実施形態においては、眼科装置１によって、中間透光体の混濁の程度を解析する場合について説明したが、必ずしもこれに限られるものではない、例えば、撮影に用いた光の波長が異なり、撮影範囲が同じ２種類の眼底画像が、汎用のコンピュータ（例えば、パーソナルコンピュータ）へ転送され、そのコンピュータで実行される画像処理によって、中間透光体の混濁の程度を求められてもよい。かかる場合、上記実施形態の眼科装置１によって実行される蛍光画像撮影・解析処理のＳ７〜Ｓ９またはＳ７〜Ｓ１０の処理をコンピュータのプロセッサに実行させる解析プログラムが、中間透光体の混濁の程度を求めるためのプログラムとして、コンピュータのハードディスク等に用意されてもよい。この場合、コンピュータは、上記実施形態の眼科装置１と同様に、中間透光体の混濁の程度を求めることができる。
【０１１８】
また、予め、中間透光体の混濁の程度を求めるための画像と同一の撮影範囲で撮影された自発蛍光画像が予め転送された（取得された）コンピュータにおいて、Ｓ７〜Ｓ９又はＳ７〜Ｓ１０に相当する処理の実行後に、蛍光画像撮影・解析処理のＳ１１の処理が実行されてもよい。この場合、中間透光体の混濁の程度が加味された自発蛍光の蛍光強度を得ることができる。
【０１１９】
また、上記説明したように、中間透光体の混濁の程度を用いて眼底からの蛍光の強度を補正することによって、眼科装置１は、蛍光の強度をより適正に得ることができる。ここで、上記実施形態では、中間透光体の混濁の程度は、投光光学系から眼底へ投光される光に応じて眼底から発せられる光の強度に関する強度情報に基づいて解析される。しかし、蛍光の強度を補正するために用いる中間透光体の混濁の程度は、上記の強度情報に基づく解析以外の手法によって求めたものであってもよい。
【０１２０】
例えば、中間透光体の混濁の程度は、被検眼に光を投光することによって、被検眼の中間透光体又はそれよりも眼底側の部位からの戻り光を受光素子で受光し、その受光素子から出力される信号に基づいて取得される。例えば、中間透光体を含む被検眼の断面情報を解析することによって得られてもよい。被検眼の断面情報は、被検眼の中間透光体からの反射光を検出器（受光素子）で受光し、検出器から出力される受光信号に基づいて被検眼の断面画像を得る断面画像撮像装置によって取得されてもよい。断面画像撮像装置は、例えば、光源からの光を被検眼に向けて投光し、中間透光体に光切断面を形成する投光光学系と、光切断面上の中間透光体にて散乱（および反射）された散乱光（および反射光）を含む光を検出器によって検出する受光光学系と、を有する。被検眼の断面情報は、検出器から出力される信号による生データであってもよいし、信号が処理されて生成される断面画像であってもよいし、断面画像に画像処理を行うことで生成されるデータであってもよい。この場合、互いに異なる複数の光切断面についての断面情報を解析することによって、中間透光体における混濁の程度を、中間透光体の位置毎に得ることもできる。詳細は、例えば、特開２００３−１１１７３１号公報等を参照されたい。断面画像撮像装置としては、例えば、シャインプルークカメラ、光断層干渉計（ＯＣＴ）等が例示される。なお、断面画像撮像装置は、中間透光体の混濁の程度を用いて自発蛍光の強度の補正を行う眼科装置とは別の筐体の装置であってもよいし、同一の筐体の装置であってもよい。同一の筐体の装置である場合、両装置の動作は一つの制御部によって制御されてもよい。
【０１２１】
また、中間透光体の混濁の程度は、被検眼のいわゆる徹照像を解析することによって求められてもよい。徹照像は、被検眼の眼底からの反射光を、中間透光体（又はその近傍）と共役な位置に配置された撮像素子（受光素子）で受光する前眼部撮像装置を用いて得ることができる。撮像素子からの信号に基づいて徹照像が生成される。この場合、徹照像における混濁部分の画像情報を解析することによって、中間透光体における混濁の程度を、中間透光体の位置毎に得ることもできる。なお、前眼部撮像装置は、自発蛍光の強度の補正を行う眼科装置とは別の筐体の装置であってもよいし、同一の筐体の装置であってもよい。同一の筐体の装置である場合、両装置の動作は一つの制御部によって制御されてもよい。
【符号の説明】
【０１２２】
１              眼科装置
２              投光光学系
３              受光光学系
２５            受光素子
４２            反射標準試料
２００          制御部
Ｓ４，Ｓ６      画像取得ステップ
Ｓ７，Ｓ８      明るさ算出ステップ
Ｓ７〜Ｓ１０    解析ステップ
Ｓ１０          透過率取得ステップ
Ｓ１１          蛍光強度取得ステップ
【図１】
2015085176.tif 000003
【図２】
2015085176.tif 000004
【図３】
2015085176.tif 000005
【図４】
2015085176.tif 000006
【図５】
2015085176.tif 000007
【図６】
2015085176.tif 000008
【図７】
2015085176.tif 000009
【図８】
2015085176.tif 000010
【図９】
2015085176.tif 000011
【図１１】
2015085176.tif 000012
【図１０】
2015085176.tif 000013